(57)【要約】  本発明は、キーボードを収容し、該キーボードと対応する上部位置に各種物品を保管してインターネットカフェのような狭い空間でコンピュータ使用時、キーボード以外の物品を保管してキーボードを簡便に使用できるようにするキーボード収納専用棚に関するものであって、物品を置くことができるように板状で構成されたパネルと、上記パネルを支える脚と、上記パネルを脚の上部に固定させる固定手段と、を含み、上記パネルの下部にコンピュータキーボードを収納するキーボード収納専用棚であって、上記脚は設置場所に置かれるベースと、上記ベースの上部に位置し、パネルを支える支持台と、上記ベースと支持台の各後段部とを連結する連結部材と、を含み、上記パネルの下部の長手方向の両側でパネルを支えることを特徴とする。  また、上記キーボード収納専用棚は、物品を置くことができるように板状の形態で構成されるパネルと、上記パネルを支え、その一側面または両側面にはコンピュータ本体及び上記本体と連結される便宜装置を電気的に連結するＵＳＢポートが取り付けられる脚と、上記パネルを脚の上部に固定させる固定手段と、上記パネルに取り付けられ、電源供給により発光するランプと、上記パネルに設けられる広告手段と、を含む。【選択図】  図２
2010527471.tif 000002
【特許請求の範囲】
【請求項１】
物品を置くことができるように板状で構成されたパネルと、前記パネルを支える脚と、前記パネルを脚の上部に固定させる固定手段と、を含み、
前記パネルの下部にコンピュータキーボードを収納するキーボード収納専用棚であって、
前記脚は設置場所に置かれるベースと、
前記ベースの上部に位置し、パネルを支える支持台と、
前記ベースと支持台の各後段部とを連結する連結部材と、を含み、
前記パネルの下部の長手方向の両側でパネルを支えることを特徴とするキーボード収納専用棚。
【請求項２】
前記脚の一側面または両側面にはコンピュータ本体及び前記本体と連結される便宜装置を電気的に連結するＵＳＢポートが取り付けられることを特徴とする請求項１に記載のキーボード収納専用棚。
【請求項３】
前記固定手段は、前記脚の支持台に付着され、その内部に前記パネルを嵌めるスロットが開口され、このスロットの内側面の先端部には突起が形成されるホルダーと、
前記ホルダーの突起を収容できるようにパネルに形成される組立溝と、
を含むことを特徴とする請求項１に記載のキーボード収納専用棚。
【請求項４】
前記パネルはキーボードが見えるように透明な材質で構成され、その表面に反射溝が形成されることを特徴とする請求項１に記載のキーボード収納専用棚。
【請求項５】
前記パネルは電源供給により発光するランプまたは発光ダイオードを有する照明手段が更に設けられることを特徴とする請求項１に記載のキーボード収納専用棚。
【請求項６】
前記パネルは広告手段を更に有し、
前記広告手段は、表面、底面、または内部面にシルク印刷処理されたことを特徴とする請求項１に記載のキーボード収納専用棚。
【請求項７】
前記パネルは側面に補助発光部材が着脱可能に嵌められることを特徴とする請求項１に記載のキーボード収納専用棚。
【請求項８】
前記補助発光部材は、
前記パネルが嵌められるようにスロットが形成されたボディーと、
前記ボディーのスロットの内部に収納される印刷回路基板と、
前記印刷回路基板と電気的に連結されるバッテリーと、
前記印刷回路基板に設けられ、バッテリーの電源供給により発光する発光ダイオードと、
前記発光ダイオードの前方に設けられてパネルがスロットに嵌められる時、発光ダイオードを保護する係止段と、
を含むことを特徴とする請求項７に記載のキーボード収納専用棚。
【請求項９】
物品を置くことができるように板状の形態で構成されるパネルと、
前記パネルを支え、その一側面または両側面にはコンピュータ本体及び前記本体と連結される便宜装置を電気的に連結するＵＳＢポートが取り付けられる脚と、
前記パネルを脚の上部に固定させる固定手段と、
前記パネルに取り付けられ、電源供給により発光するランプを有する照明手段と、
前記パネルに設けられる広告手段と、を含み、
前記パネルの下部にコンピュータキーボードを収納することを特徴とするキーボード収納専用棚。
【請求項１０】
前記固定手段は前記脚の支持台に付着され、その内部に前記パネルを嵌めるスロットが開口され、このスロットの内側面の先端部には突起が形成されるホルダーと、
前記ホルダーの突起を収容できるようにパネルに形成される組立溝と、
を含むことを特徴とする請求項９に記載のキーボード収納専用棚。
【請求項１１】
前記脚は設置場所に置かれるベースと、
前記ベースの上部に位置し、パネルを支える支持台と、
前記ベースと支持台の各後段部を連結する連結部材と、を含み、
前記パネルの下部の長手方向の両側でパネルを支えることを特徴とする請求項９に記載のキーボード収納専用棚。
【請求項１２】
前記パネルはキーボードが見えるように透明な材質で構成され、前記ランプから照射される光が集中できるように表面に反射溝が形成されることを特徴とする請求項９に記載のキーボード収納専用棚。
【請求項１３】
前記広告手段は、表面、底面、または内部面にシルク印刷処理されたことを特徴とする請求項９に記載のキーボード収納専用棚。
【請求項１４】
前記パネルの側面には補助発光部材が着脱可能に嵌められ、前記補助発光部材は前記パネルが嵌められるようにスロットが形成されたボディーと、
前記ボディーのスロットの内部に収納される印刷回路基板と、
前記印刷回路基板と電気的に連結されるバッテリーと、
前記印刷回路基板に設けられ、バッテリーの電源供給により発光する発光ダイオードと、
前記発光ダイオードの前方に設けられてパネルがスロットに嵌められる時、発光ダイオードを保護する係止段と、
を含むことを特徴とする請求項９に記載のキーボード収納専用棚。
【発明の詳細な説明】
【技術分野】
【０００１】
本発明は、キーボードを収容し、該キーボードと対応する上部位置に各種物品を保管して事務室、家庭、特にインターネットカフェのように狭い空間でコンピュータ使用時、キーボード以外の物品を保管してコンピュータ作業を簡便に使用できるようにするキーボード収納専用棚に関するものである。
【背景技術】
【０００２】
コンピュータに命令を入力するキーボードはモニターの前方に設けられた状態で使われるが、キーボードが置かれた場所が非常に狭い場合にはキーボード以外の物品保管が困難であってキーボードの使用が不便であった。
【０００３】
例えば、インターネットカフェの場合、限定された室内場所に多数のコンピュータが設けられるので、モニターとキーボードとが設けられたテーブルの面積が狭小である。したがって、モニターとキーボードとが置かれたテーブルには余分が充分でなくてコンピュータ使用時、使用者の物品、即ち、菓子、タバコ、ライター、灰皿、財布、飲料カップ、カップラーメンなどの物品保管が困難であった。
【０００４】
したがって、キーボードを使用する時、これらを殆ど使用できない問題があり、これらの物品を使用する場合にはコンピュータの使用を中止した状態でキーボードを他の所に移して空間を確保した後に使用しなければならないという面倒さがあった。
【０００５】
仮に、キーボードを使用しながら飲料またはラーメンを食べる場合に、たびたびカップが倒れて内容物がこぼれる問題があり、こぼれた内容物を掃除し難いという問題があった。
【発明の概要】
【発明が解決しようとする課題】
【０００６】
ここに、本発明は前述したような従来の諸問題を解決するためのものであって、その目的は、キーボードを収容し、該キーボードと対応する上部位置に各種物品を保管してインターネットカフェのように狭い空間でコンピュータ使用時にキーボード以外の物品を保管してキーボードを簡便に使用できるようにするキーボード収納専用棚を提供することにある。
【課題を解決するための手段】
【０００７】
このようなキーボード収納専用棚は、物品を置くことができるように板状で構成されたパネルと、上記パネルを支える脚と、上記パネルを脚の上部に固定させる固定手段と、を含み、上記パネルの下部にコンピュータキーボードを収納するキーボード収納専用棚であって、上記脚は設置場所に置かれるベースと、上記ベースの上部に位置し、パネルを支える支持台と、上記ベースと支持台の各後段部とを連結する連結部材と、を含み、上記パネルの下部の長手方向の両側でパネルを支えることを特徴とする。
【０００８】
また、上記キーボード収納専用棚は、物品を置くことができるように板状の形態で構成されるパネルと、上記パネルを支え、その一側面または両側面にはコンピュータ本体及び上記本体と連結される便宜装置を電気的に連結するＵＳＢポートが取り付けられる脚と、上記パネルを脚の上部に固定させる固定手段と、上記パネルに取り付けられ、電源供給により発光するランプと、上記パネルに設けられる広告手段と、を含み、上記パネルの下部にコンピュータキーボードを収納できるように構成することもできる。
【発明の効果】
【０００９】
本発明によれば、パネルの下部の空間にキーボードを収納した状態で使われるが、この状態でパネルの上に各種物品を置いた状態でキーボードを安全に使用することができる。
【００１０】
これは、キーボードの上部の垂直空間を活用するものであって、インターネットカフェのように狭い空間でコンピュータ使用時、キーボード以外の物品を簡便に保管してコンピュータの使用を便利にすることができる。
【００１１】
そして、照明手段または補助発光部材を用いてパネルを照明で飾ることができるので、使用場所の雰囲気を一層高めることができるだけでなく、夜間に家庭で就寝灯として使用することができる。
【００１２】
また、パネルに形成された広告手段を用いて広告効果も期待することができる長所がある。
【図面の簡単な説明】
【００１３】
【図１】本発明の棚斜視図である。
【図２】本発明の棚使用状態を示す斜視図である。
【図３】本発明の棚使用状態を示す側面図である。
【図４】本発明の棚使用状態を示す平面図である。
【図５】本発明に従うパネルの固定状態を示す拡大正断面図である。
【図６】本発明の第１実施形態に従うランプ設置状態を示す側断面図である。
【図７】本発明の第１実施形態に従うランプ設置状態を示す平面図である。
【図８】本発明の発光ダイオード設置状態を示す平面図である。
【図９】図８のＡ−Ａ線を断面して発光ダイオード設置状態を示す図である。
【図１０】本発明に従う他の実施形態の発光ダイオード設置状態を示す図である。
【図１１】本発明に従う補助発光部材の側断面図である。
【図１２】本発明に従う補助発光部材がパネルに組み立てられた状態の側断面図である。
【図１３】本発明に従う補助発光部材がパネルに組み立てられた状態の平面図である。
【図１４】本発明に従う棚がインターネットカフェに設けられた状態を示す写真である。
【発明を実施するための形態】
【００１４】
以下、添付された図面を参照しつつ本発明に従うキーボード収納専用棚の構成を詳細に説明する。
【００１５】
図１は本発明の棚斜視図であり、図２は本発明の棚使用状態を示す斜視図であり、図３は本発明の棚使用状態を示す側面図であり、図４は本発明の棚使用状態を示す平面図である。図６は本発明のランプ設置状態を示す側断面図であり、図８乃至図１０は本発明の発光ダイオード設置状態を示す図であり、図１１乃至図１３は本発明に従う補助発光部材がパネルに組み立てられた前・後状態を示す図であり、図１４は本発明に従う棚がインターネットカフェに設けられた状態を示す写真である。
【００１６】
上記図面のように本発明に従うキーボード収納専用棚１の構成は、大別して物品が置かれるパネル２、上記パネル２を支える脚３、及び上記パネル２を脚３の上部に固定させる固定手段４を含む。
【００１７】
このように構成されるキーボードＫの収納専用棚は、パネル２の下部に形成された空間ＳにキーボードＫを収納し、上記キーボードＫの上部の垂直空間に位置した上記パネル２に物品を保管して狭い空間を有用に活用する長所がある。
【００１８】
上記パネル２は、物品を置くことができるように板状の形態で構成され、その下部に位置したキーボードＫを肉眼で確認できるように透明な材質で構成されることが好ましい。例えば、透明なアクリル、ポリカーボネート（ＰＣ）、及び破損に強い強化ガラスなどを使用すれば良い。
【００１９】
上記パネル２を支持する脚３は多様な形状で構成されることができ、一実施形態は図面のようにパネル２の両側で２つがパネル２を支持する。
【００２０】
上記脚３は、設置場所に置かれるベース３ａ、上記ベース３ａの上部に位置し、パネル２を支える支持台３ｂ、及び上記ベース３ａと支持台３ｂの各後段部とを連結する連結部材３ｃを含む。このように構成される脚３は単調さを回避するためにベース３ａを上方に曲面形態で処理した。
【００２１】
上記２つの脚３の間の距離はキーボードＫを収容できる位が良い。上記脚３の間の距離が大き過ぎれば棚の体積が大きくなるため、本発明の目的と合わなくなる。
【００２２】
上記脚３の一側面または両側面にはコンピュータ本体及び上記本体と連結される便宜装置を電気的に連結するＵＳＢポート５が取り付けられる。上記ＵＳＢポート５は、コンピュータ分野で広く使われている公知の技術であって、コンピュータ本体と便宜装置とを電気的に連結するターミナル機能をする。
【００２３】
上記ＵＳＢポート５は、入力ポート５ａと出力ポート５ｂとに分けられる。入力ポート５ａはコンピュータ本体と連結され、出力ポート５ｂは入力ポート５ａと電気的に連結され、便宜装置と連結される機能をする。
【００２４】
したがって、上記入力ポート５ａはコンピュータ本体とケーブルにより常時連結された状態で使われて、この状態で携帯電話のような便宜装置を充電する場合には上記携帯電話と連結されたケーブルの端子を出力端子に挿入すれば携帯電話を充電できるようになる。
【００２５】
上記パネル２を固定する固定手段４は、多様な形態で構成されることができ、その一実施形態は図面のように上記脚３の支持台３ｂに付着され、その内部にパネル２を嵌めるホルダー４ａと、上記ホルダー４ａの先端部を収容できるようにパネル２に形成される組立溝４ｂで構成される。
【００２６】
上記ホルダー４ａはパネル２を嵌めて固定するスロット４ａ−１が開口され、このスロット４ａ−１の内側面の先端部には上記パネル２の組立溝４ｂに挿入される突起４ａ−２が形成される。上記ホルダー４ａのスロット４ａ−１の内部にパネル２を強制的に挿入するようになれば、先端部に位置した突起４ａ−２が外側に広がりながら弾性を蓄積するようになり、組立位置に至るようになれば突起４ａ−２がパネル２の組立溝４ｂに挿入されてホルダー４ａはパネル２から抜けないようになる。
【００２７】
一方、本発明のキーボードＫの収納専用棚は、昼・夜間にパネル２を照明で飾ることができるように照明手段６が更に設けられる。
【００２８】
上記照明手段６は、図６及び図７のように、カバー６ａの内部にランプ６ｂが取り付けられてユニット化された構造であって、公知のものである。このような照明手段６は、ランプ６ｂから発光された光がパネル２の厚みに該当する面を乗じて反射できるようにパネル２の一側面にランプ６ｂが互いに対応するように組み立てられることが良い。
【００２９】
上記カバー６ａは、ランプ６ｂから発光された光を遮断して眩しさを防止するだけでなく、光がパネル２の厚みに集中するようにして照明効果を高める機能をする。このように、ランプ６ｂから発光された光がパネル２の厚みに集中されて全体的に反射されればパネル２はほのかな照明雰囲気をかもし出すようになる。
【００３０】
上記照明手段６の照明効果を高めることができるように上記パネル２には枠の周りに沿って反射溝６ｃが形成されることが好ましい。したがって、ランプ６ｂが発光するようになれば、反射溝６ｃに照明が集中されて、その部分が更に明るくなって照明効果を一層高めることができる。
【００３１】
一方、本発明に従う照明手段６の他の実施形態は、図８乃至図１０のように構成することもできる。
【００３２】
即ち、図９のようにパネル２の一側面に収納溝６ｄを形成し、上記収納溝６ｄには印刷回路基板６ｅに付着された発光ダイオード６ｆが収納される。上記発光ダイオード６ｆは外部から供給される電源を使用できるように印刷回路基板６ｅに連結されたパワーケーブルが外部に引出される。
【００３３】
上記照明手段６は、図１０のようにバッテリー６ｇを用いて発光ダイオード６ｆに電源を供給できるようにした。上記バッテリー６ｇは収納溝６ｄに収納され、印刷回路基板６ｅと電気的に連結される。上記バッテリーを取替えできるように収納溝は蓋６ｈが開閉される。このようなバッテリーの配線構造は公知の技術でるので省略した。
【００３４】
また、本発明は広告手段を更に有する。
【００３５】
上記広告手段は、上記照明手段６の照明効果を用いる。言い換えると、広告内容に該当するパネル２の一側面に広告ホーム７を文字形態（図面に記載された“ナイスホーム”）で形成して広告内容を作る。上記広告内容は広告ホーム７で構成されるので、ランプ６ｂが発光する時、その部分の照度が周辺より明るくて広告効果を期待できるようになる。
【００３６】
上記広告内容は、広告ホーム７の形態によって多様な形態に変わることができるので、図面ではその一実施形態に“ナイスホーム”と表した。
【００３７】
上記広告手段の他の実施形態は、パネル２の表面、底面、または内部に広告内容をシルク印刷して構成することもできる。上記シルク印刷は公知の技術であるので詳細な説明は省略する。
【００３８】
本発明は、照明手段６と別に補助発光部材８を更に有する。上記補助発光部材８は、パネル２に着脱可能に組み立てられて選択的に使われる。
【００３９】
上記補助発光部材８の構成は、図１１乃至図１２のように、上記パネル２に嵌められることができるようにスロット８ａ−１が形成されたボディー８ａと、上記ボディー８ａのスロットａ−１の内部に収納される印刷回路基板８ｂと、上記印刷回路基板８ｂと電気的に連結されるバッテリー８ｃと、上記印刷回路基板８ｂに設けられ、バッテリー８ｃの電源供給により発光する発光ダイオード８ｄと、上記発光ダイオード８ｄの前方に設けられてパネル２がスロット４ａ−１に嵌められる時、発光ダイオード８ｄを保護する係止段８ｅと、を含む。
【００４０】
上記ボディー８ａは発光ダイオード８ｄを保護するものであって、その外部に筆記具Ｐを固定する嵌込溝８ａ−２が形成され、外部には印刷回路基板８ｂと連結され、発光ダイオード８ｄの電源をＯＮ／ＯＦＦさせるスイッチ８ｆが取り付けられ、一側面にはバッテリー８ｃを交換できるように蓋８ｇが着脱可能に組み立てられる。
【００４１】
上記係止段８ｅは発光ダイオード８ｄから照射される光がパネル２に透過できるように透明な材質で構成されなければならない。
【００４２】
以上のように構成された補助発光部材８は、スロット８ａ−１をパネル２の側面に嵌め込み組立てした状態でスイッチ８ｆをＯＮすると、発光ダイオード８ｄから光が照射され、上記照射された光はパネル２の厚みを乗じて反射されてパネル２の全体面積をほのかに飾る効果がある。
【００４３】
一方、本発明に従うキーボード収納専用棚１の他の実施形態は、物品を置くことができるように板状の形態で構成されるパネル２と、上記パネル２を支え、その一側面または両側面にはコンピュータ本体及び上記本体と連結される便宜装置とを電気的に連結するＵＳＢポート５が取り付けられる脚３と、上記パネル２を脚３の上部に固定させる固定手段４と、上記パネル２に取り付けられ、電源供給により発光するランプ６ｂを持つ照明手段６と、上記パネル２に設けられる広告手段と、を含む。
【００４４】
以上のように構成された棚は、ＵＳＢポート５、照明手段６、及び広告手段が一体で形成されることが特徴である。上記ＵＳＢポート５、照明手段６、及び広告手段は既に説明したのでこれ以上の説明は省略する。
【００４５】
また、上記実施形態の棚１は、補助発光部材８が更に設けられるが、これに対しても前述したのでこれ以上の説明は省略する。
【符号の説明】
【００４６】
１      棚
２      パネル
３      脚
４      固定手段
５      ＵＳＢポート
６      照明手段
７      広告ホーム
Ｋ      キーボード
【図１】
2010527471.tif 000003
【図２】
2010527471.tif 000004
【図３】
2010527471.tif 000005
【図４】
2010527471.tif 000006
【図５】
2010527471.tif 000007
【図６】
2010527471.tif 000008
【図７】
2010527471.tif 000009
【図８】
2010527471.tif 000010
【図９】
2010527471.tif 000011
【図１０】
2010527471.tif 000012
【図１１】
2010527471.tif 000013
【図１２】
2010527471.tif 000014
2010527471.tif 000015
【図１３】
2010527471.tif 000016
【図１４】
2010527471.tif 000017
【国際調査報告】
2010527471.tif 000018
2010527471.tif 000019